【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
部品作成ユーザが作成した部品データと、前記部品データを、文書作成ユーザがレイアウトすることで作成された複数ページからなる文書データと、前記部品データの使用の可否を示す使用可否情報及び前記部品データを更新した部品データが有るか否かを示す更新情報のうち、少なくともいずれか一方を含む情報である状況識別情報と、を記憶する記憶手段と、
前記部品データごとに前記状況識別情報の変更を受け付ける変更受付手段と、
前記文書データの前記複数ページについて、前記変更受付手段によって前記状況識別情報の変更を受け付けた部品データが含まれるページと、含まないページとを識別可能に一覧表示する表示制御手段と、を有する情報処理システム。
【請求項２】
前記状況識別情報が、前記部品データの使用の可否を示す使用可否情報である場合に、前記変更受付手段で受け付ける前記状況識別情報の変更は、前記部品データの使用可否情報を使用可から使用不可に変更することであることを特徴とする請求項１に記載の情報処理システム。
【請求項３】
前記状況識別情報が、前記部品データを更新した部品データが有るか否かを示す更新情報である場合に、前記変更受付手段で受け付ける前記状況識別情報の変更は、前記部品データの更新情報を更新された部品データの無いことを示す情報から、更新された部品データが有ることを示す情報に更新することであることを特徴とする請求項１または２に記載の情報処理システム。
【請求項４】
前記表示制御手段は、前記更新情報が存在する部品データが含まれるページを識別可能に一覧表示することを特徴とする請求項１乃至３のいずれか１項に記載の情報処理システム。
【請求項５】
前記表示制御手段は、前記使用可否情報が不可である部品データが含まれるページを識別可能に一覧表示することを特徴とする請求項１乃至４のいずれか１項に記載の情報処理システム。
【請求項６】
前記表示制御手段は、前記更新情報が存在する部品データが含まれるページである場合に、当該部品データの更新後の部品データを表示するように制御し、
前記文書データの前記更新情報が存在する部品データを、前記更新後の部品データに入れ替える入替手段を更に有することを特徴とする請求項１乃至５のいずれか１項に記載の情報処理システム。
【請求項７】
前記変更受付手段は、前記部品作成ユーザから、前記部品データごとに前記状況識別情報の変更を受け付け、
前記表示制御手段は、前記変更受付手段によって前記状況識別情報の変更を受け付けた部品データが含まれるページと、含まないページとを、文書作成ユーザに、識別可能に一覧表示することを特徴とする請求項１乃至６のいずれか１項に記載の情報処理システム。
【請求項８】
部品作成ユーザが作成した部品データと、前記部品データを、文書作成ユーザがレイアウトすることで作成された複数ページからなる文書データと、前記部品データの使用の可否を示す使用可否情報及び前記部品データを更新した部品データが有るか否かを示す更新情報のうち、少なくともいずれか一方を含む情報である状況識別情報と、を記憶する記憶手段を有する情報処理システムの制御方法であって、
前記情報処理システムの変更受付手段が、前記部品データごとに前記状況識別情報の変更を前記部品作成ユーザから受け付ける変更受付工程と、
前記情報処理システムの表示制御手段が、前記文書データの前記複数ページについて、前記変更受付工程によって前記状況識別情報の変更を受け付けた部品データが含まれるページと、含まないページとを識別可能に一覧表示する表示制御工程と
を有することを特徴とする情報処理方法。
【請求項９】
部品作成ユーザが作成した部品データと、前記部品データを、文書作成ユーザがレイアウトすることで作成された複数ページからなる文書データと、前記部品データの使用の可否を示す使用可否情報及び前記部品データを更新した部品データが有るか否かを示す更新情報のうち、少なくともいずれか一方を含む情報である状況識別情報と、を記憶する記憶手段を有する情報処理システムで読み取り実行可能なプログラムであって、
前記部品データごとに前記状況識別情報の変更を前記部品作成ユーザから受け付ける変更受付手段と、
前記文書データの前記複数ページについて、前記変更受付手段によって前記状況識別情報の変更を受け付けた部品データが含まれるページと、含まないページとを識別可能に一覧表示する表示制御手段
として機能させることを特徴とするコンピュータプログラム。
【請求項１０】
部品データをレイアウトすることで作成される文書データを管理する情報処理システムであって、
前記部品データを作成した部品作成ユーザから、前記部品データが更新された部品データの有無を判定するために用いる使用可否情報の更新を受け付ける更新受付手段と、
前記文書データと当該文書データを作成した文書作成ユーザを示すユーザ情報とが関連付けられた文書情報と、当該文書データに使用されている部品データを管理する第１の情報と、前記部品データと前記更新受付手段で更新を受け付ける当該部品データの更新情報とが関連付けられた第２の情報とを記憶する記憶手段と、
前記文書作成ユーザが作成した前記文書データが、更新された部品データが含まれる前記文書データであるか、前記文書作成ユーザが作成した更新された部品データを含まない前記文書データであるかを識別可能に表示すべく、前記文書データを作成した作成ユーザを示すユーザ情報を含む、当該作成ユーザによる前記文書の表示要求とを受け付ける受付手段と、
前記受付手段により表示要求を受け付けたユーザ情報に関連付けて前記文書情報に記憶された文書データを特定する特定手段と、
前記特定手段により特定された文書データに、更新後の部品データに更新される前の部品データが含まれているか否かを、前記第１の情報、及び前記第２の情報を用いて判定する判定手段と、
前記受付手段で表示要求を受け付けたユーザ情報に示される文書作成ユーザに、当該文書作成ユーザが作成した文書データであって、前記判定手段で更新後の部品データに更新される前の部品データが含まれていると判定された当該文書作成ユーザが作成した文書データと、更新後の部品データに更新される前の部品データが含まれていないと判定された当該文書作成ユーザが作成した文書データとを識別可能に表示するように制御する表示制御手段と、
を有することを特徴とする情報処理システム。
【請求項１１】
部品データを作成した部品作成ユーザから、前記部品データが更新された部品データの有無を判定するために用いる使用可否情報の更新を受け付ける更新受付手段と、文書データと当該文書データを作成した文書作成ユーザを示すユーザ情報とが関連付けられた文書情報と、当該文書データに使用されている部品データを管理する第１の情報と、前記部品データと前記更新受付手段で更新を受け付ける当該部品データの更新情報とが関連付けられた第２の情報とを記憶する記憶手段とを有し、前記部品データをレイアウトすることで作成される文書データを管理する情報処理システムによって行われる情報処理方法であって、
前記情報処理システムの受付手段が、前記文書作成ユーザが作成した前記文書データが、更新された部品データが含まれる前記文書データであるか、前記文書作成ユーザが作成した更新された部品データを含まない前記文書データであるかを識別可能に表示すべく、前記文書データを作成した作成ユーザを示すユーザ情報を含む、当該作成ユーザによる前記文書の表示要求とを受け付ける受付工程と、
前記情報処理システムの特定手段が、前記受付工程により表示要求を受け付けたユーザ情報に関連付けて前記文書情報に記憶された文書データを特定する特定工程と、
前記情報処理システムの判定手段が、前記特定工程により特定された文書データに、更新後の部品データに更新される前の部品データが含まれているか否かを、前記第１の情報、及び前記第２の情報を用いて判定する判定工程と、
前記情報処理システムの表示制御手段が、前記受付工程で表示要求を受け付けたユーザ情報に示される文書作成ユーザに、当該文書作成ユーザが作成した文書データであって、前記判定手段で更新後の部品データに更新される前の部品データが含まれていると判定された当該文書作成ユーザが作成した文書データと、更新後の部品データに更新される前の部品データが含まれていないと判定された当該文書作成ユーザが作成した文書データとを識別可能に表示するように制御する表示制御工程と
を有することを特徴とする情報処理方法。
【請求項１２】
部品データを作成した部品作成ユーザから、前記部品データが更新された部品データの有無を判定するために用いる使用可否情報の更新を受け付ける更新受付手段と、文書データと当該文書データを作成した文書作成ユーザを示すユーザ情報とが関連付けられた文書情報と、当該文書データに使用されている部品データを管理する第１の情報と、前記部品データと前記更新受付手段で更新を受け付ける当該部品データの更新情報とが関連付けられた第２の情報とを記憶する記憶手段とを有し、前記部品データをレイアウトすることで作成される文書データを管理する情報処理システムを、
前記文書作成ユーザが作成した前記文書データが、更新された部品データが含まれる前記文書データであるか、前記文書作成ユーザが作成した更新された部品データを含まない前記文書データであるかを識別可能に表示すべく、前記文書データを作成した作成ユーザを示すユーザ情報を含む、当該作成ユーザによる前記文書の表示要求とを受け付ける受付手段と、
前記受付手段により表示要求を受け付けたユーザ情報に関連付けて前記文書情報に記憶された文書データを特定する特定手段と、
前記特定手段により特定された文書データに、更新後の部品データに更新される前の部品データが含まれているか否かを、前記第１の情報、及び前記第２の情報を用いて判定する判定手段と、
前記受付手段で表示要求を受け付けたユーザ情報に示される文書作成ユーザに、当該文書作成ユーザが作成した文書データであって、前記判定手段で更新後の部品データに更新される前の部品データが含まれていると判定された当該文書作成ユーザが作成した文書データと、更新後の部品データに更新される前の部品データが含まれていないと判定された当該文書作成ユーザが作成した文書データとを識別可能に表示するように制御する表示制御手段
として機能させることを特徴とするコンピュータプログラム。
【手続補正２】
【補正対象書類名】明細書
【補正対象項目名】発明の名称
【補正方法】変更
【補正の内容】
【発明の名称】情報処理システム、情報処理方法及びプログラム
【手続補正３】
【補正対象書類名】明細書
【補正対象項目名】０００１
【補正方法】変更
【補正の内容】
【０００１】
本発明は、情報処理システム、情報処理方法及びプログラムに関し、特に、文書データ内の更新すべきページを、ユーザに把握させ易くし、当該ページの更新を促す技術に関する。
【手続補正４】
【補正対象書類名】明細書
【補正対象項目名】０００９
【補正方法】変更
【補正の内容】
【０００９】
本発明は、文書データ内の更新すべきページを、ユーザに把握させ易くし、当該ページの更新を促すことを目的とする。
【手続補正５】
【補正対象書類名】明細書
【補正対象項目名】００１０
【補正方法】変更
【補正の内容】
【００１０】
本発明は、部品作成ユーザが作成した部品データと、前記部品データを、文書作成ユーザがレイアウトすることで作成された複数ページからなる文書データと、前記部品データの使用の可否を示す使用可否情報及び前記部品データを更新した部品データが有るか否かを示す更新情報のうち、少なくともいずれか一方を含む情報である状況識別情報と、を記憶する記憶手段と、前記部品データごとに前記状況識別情報の変更を受け付ける変更受付手段と、前記文書データの前記複数ページについて、前記変更受付手段によって前記状況識別情報の変更を受け付けた部品データが含まれるページと、含まないページとを識別可能に一覧表示する表示制御手段と、を有する。
【手続補正６】
【補正対象書類名】明細書
【補正対象項目名】００１１
【補正方法】変更
【補正の内容】
【００１１】
また、本発明は、部品データをレイアウトすることで作成される文書データを管理する情報処理装置であって、前記部品データを作成した部品作成ユーザから、前記部品データが更新された部品データの有無を判定するために用いる使用可否情報の更新を受け付ける更新受付手段と、前記文書データと当該文書データを作成した文書作成ユーザを示すユーザ情報とが関連付けられた文書情報と、当該文書データに使用されている部品データを管理する第１の情報と、前記部品データと前記更新受付手段で更新を受け付ける当該部品データの更新情報とが関連付けられた第２の情報とを記憶する記憶手段と、前記文書作成ユーザが作成した前記文書データが、更新された部品データが含まれる前記文書データであるか、前記文書作成ユーザが作成した更新された部品データを含まない前記文書データであるかを識別可能に表示すべく、前記文書データを作成した作成ユーザを示すユーザ情報を含む、当該作成ユーザによる前記文書の表示要求とを受け付ける受付手段と、前記受付手段により表示要求を受け付けたユーザ情報に関連付けて前記文書情報に記憶された文書データを特定する特定手段と、前記特定手段により特定された文書データに、更新後の部品データに更新される前の部品データが含まれているか否かを、前記第１の情報、及び前記第２の情報を用いて判定する判定手段と、前記受付手段で表示要求を受け付けたユーザ情報に示される文書作成ユーザに、当該文書作成ユーザが作成した文書データであって、前記判定手段で更新後の部品データに更新される前の部品データが含まれていると判定された当該文書作成ユーザが作成した文書データと、更新後の部品データに更新される前の部品データが含まれていないと判定された当該文書作成ユーザが作成した文書データとを識別可能に表示するように制御する表示制御手段と、を有する。
【手続補正７】
【補正対象書類名】明細書
【補正対象項目名】００１２
【補正方法】変更
【補正の内容】
【００１２】
本発明によると、文書データ内の更新すべきページを、ユーザに把握させ易くし、当該ページの更新を促すことが可能となる。